(57)【要約】【課題】地滑り現象のメカニズムや，地滑り対策技術の原理，有効性を一般の人々に手軽に且つ容易に説明できるようにした低コストの地滑り対策展示用模型装置を提供する。【解決手段】模型本体Ａが，鉛直な左右分割面Ｓ′を挟んで互いに並列する左右一対の模型ブロック１，２より分割構成され，左右一方の第１模型ブロック１は，その全体が単一のブロックで形成され，左右他方の第２模型ブロック２は，該第２模型ブロック２の表層に略沿うように傾斜させた滑り面Ｓを上面に有するベースブロック２Ｄと，そのベースブロック２Ｄの滑り面Ｓ上に下方にスライド可能に重合，載置された土塊ブロック２Ｕとより分割構成され，第１及び第２模型ブロック１，２には，その上面及び左右分割面Ｓ′において種々の地滑り対策手段ｔ１〜ｔ５が表示され，土塊ブロック２Ｕを摺動可能に貫通してベースブロック２Ｄに抜差可能に係合し得る係合ピンＰが，地滑り対策手段ｔ１〜ｔ５のうちの深礎工ｔ１又はアンカー工ｔ２の少なくとも１つに似せて形成される。【選択図】    図１
2004163677.tif 000002
【特許請求の範囲】
【請求項１】
地滑りが生じ易い傾斜地形を表し且つ車両により運搬可能な模型本体（Ａ）が，該本体（Ａ）を縦断する鉛直な左右分割面（Ｓ′）を挟んで互いに並列する左右一対の模型ブロック（１，２）より分割構成され，
その左右一方の第１模型ブロック（１）は，その全体が単一のブロックで形成され，
また左右他方の第２模型ブロック（２）は，該第２模型ブロック（２）の表層に略沿うように傾斜させた滑り面（Ｓ）を上面に有するベースブロック（２Ｄ）と，そのベースブロック（２Ｄ）の滑り面（Ｓ）上に下方にスライド可能に重合，載置された土塊ブロック（２Ｕ）とより分割構成され，
第１及び第２模型ブロック（１，２）には，少なくともその両模型ブロック（１，２）の上面及び左右分割面（Ｓ′）において種々の地滑り対策手段（ｔ１〜ｔ５）が表示され，
土塊ブロック（２Ｕ）を摺動可能に貫通してベースブロック（２Ｄ）に抜差可能に係合し得る係合ピン（Ｐ）が，地滑り対策手段（ｔ１〜ｔ５）のうちの深礎工（ｔ１）又はアンカー工（ｔ２）の少なくとも１つに似せて形成され，
該係合ピン（Ｐ）により土塊ブロック（２Ｕ）の前記スライドを任意に規制可能としたことを特徴とする，地滑り対策展示用模型装置。
【請求項２】
前記地滑り対策手段には，深礎工（ｔ１），アンカー工（ｔ２），横ボーリング工（ｔ３），集水井（ｔ４）及び排水トンネル（ｔ５）が含まれると共に，それら深礎工（ｔ１），アンカー工（ｔ２），横ボーリング工（ｔ３），集水井（ｔ４）及び排水トンネル（ｔ５）が，前記模型本体（Ａ）の左右分割面（Ｓ′）で断面表示され，
前記土塊ブロック（２Ｕ）は，前記係合ピン（Ｐ）のベースブロック（２Ｄ）からの引き抜き状態で，該ベースブロック（２Ｄ）の滑り面（Ｓ）上を横方向にもスライド可能であることを特徴とする，請求項１に記載の地滑り対策展示用模型装置。
【発明の詳細な説明】
【０００１】
【発明の属する技術分野】
本発明は，地滑り現象のメカニズムや，地滑り対策技術の原理，有効性を一般の人に簡単に知らしめるための地滑り対策展示用模型装置に関する。
【０００２】
【従来の技術】
地滑りが発生し易い傾斜地が多い日本の国土では，大雨等のたびに地滑り災害が各地で頻発している。そこで地滑り現象のメカニズムや，地滑り対策技術の原理，有効性を一般の人に知らしめるために，従来では，傾斜地に大掛かりな地滑り実験モデルを作り，その傾斜地の実験モデルに実際に地滑りを起こさせ，その様子を人々に見せるようにしていた。尚，車両により運搬可能な比較的小規模の自然災害模型実験装置としては，土石流の模型装置が既に提案されている（例えば特許文献１を参照）。
【０００３】
【特許文献１】
特開２０００−３４７１５号公報
【０００４】
【発明が解決しようとする課題】
ところで上記のような傾斜地を利用した大掛かりな地滑りの実験モデルは，車両により運搬不可能であるばかりか，設備コストが嵩み，また一度，地滑り実験を起こしてしまうと，これを実験前の初期状態に修復して再実験することが容易でない等の問題があった。
【０００５】
本発明は，斯かる事情に鑑みてなされたものであって，地滑り現象のメカニズムや，地滑り対策技術の原理，有効性を一般の人に手軽に且つ容易に説明できるようにした低コストの地滑り対策展示用模型装置を提供することを目的としている。
【０００６】
【課題を解決するための手段】
上記目的を達成するために請求項１の発明は，地滑りが生じ易い傾斜地形を表し且つ車両により運搬可能な模型本体が，該本体を縦断する鉛直な左右分割面を挟んで互いに並列する左右一対の模型ブロックより分割構成され，その左右一方の第１模型ブロックは，その全体が単一のブロックで形成され，またその左右他方の第２模型ブロックは，該第２模型ブロックの表層に略沿うように傾斜させた滑り面を上面に有するベースブロックと，そのベースブロックの滑り面上に下方にスライド可能に重合，載置された土塊ブロックとより分割構成され，第１及び第２模型ブロックには，少なくともその両模型ブロックの上面及び左右分割面において種々の地滑り対策手段が表示され，土塊ブロックを摺動可能に貫通してベースブロックに抜差可能に係合し得る係合ピンが，地滑り対策手段のうちの深礎工又はアンカー工の少なくとも１つに似せて形成され，該係合ピンにより土塊ブロックの前記スライドを任意に規制可能としたことを特徴とする。
【０００７】
上記特徴によれば，左右一対の第１，第２模型ブロックには，少なくともその両模型ブロックの上面及び左右分割面において種々の地滑り対策手段が表示されているため，地滑り対策手段の地上構造を判り易く表示できることは勿論のこと，両模型ブロックを分離した状態では地滑り対策手段の地中構造をも判り易く表示できる。また特に係合ピンをベースブロックより引き抜いて土塊ブロックをベースブロックより離脱させるようにすれば，土塊ブロックをベースブロックに対し上記滑り面において下方に自重又は人力で簡単にスライドさせることができるから，このような土塊ブロック全体の下方スライドによって，地滑りの様子や災害の怖さを見る者に効果的に認識させることができる。しかも上記係合ピンは，地滑り対策手段のうちの深礎工又はアンカー工の少なくとも１つに似せて形成されているため，該係合ピンの離脱で土塊ブロックがスライド可能になる事実により，地滑り対策手段としての深礎工又はアンカー工の有効性を見る者に強く印象付けることができる。また土塊ブロックに対するストッパである上記係合ピンが，地滑り対策手段（深礎工又はアンカー工）の表示手段を兼ねることから，それだけ構造簡素化が図られる。
【０００８】
また請求項２の発明は，請求項１の上記特徴に加えて，地滑り対策手段には，深礎工，アンカー工，横ボーリング工，集水井及び排水トンネルが含まれると共に，それら深礎工，アンカー工，横ボーリング工，集水井及び排水トンネルが，前記模型本体の左右分割面で断面表示され，前記土塊ブロックは，前記係合ピンのベースブロックからの引き抜き状態で，該ベースブロックの滑り面上を横方向にもスライド可能であることを特徴としており，この特徴によれば，左右の模型ブロックの並列状態であっても，係合ピンをベースブロックからの引き抜いて土塊ブロックをベースブロックの滑り面上で外側方（即ち第１模型ブロックより離れる方向）にスライドさせれば，模型本体の左右分割面（従って該分割面における地滑り対策手段の断面表示）を広く露出させて外部から見易くすることができるから，左右の模型ブロックを並べたままの状態でも，種々の地滑り対策手段の地中構造を見る者に判り易く表示することができる。
【０００９】
【発明の実施の形態】
本発明の実施の形態を，添付図面に例示した本発明の実施例に基づいて以下に具体的に説明する。
【００１０】
添付図面において，図１〜図６は本発明の一実施例を示すものであって，図１は，地滑り対策展示用模型装置を示す全体斜視図，図２は，第１模型ブロックの単体斜視図，図３は，第１模型ブロックの単体側面図（図２の３矢視図），図４は，第２模型ブロックの単体側面図，図５は，土塊ブロックを下方へスライドさせた状態を示す図４対応図，図６は，土塊ブロックを外側方へスライドさせた状態を示す図４対応図である。
【００１１】
図１において，地滑り対策展示用模型装置Ｍの模型本体Ａは，該本体Ａを縦断する鉛直な左右分割面Ｓ′を挟んで互いに並列する左右一対の模型ブロック１，２より分割構成される。その左右一方（図示例では左側）の第１模型ブロック１は，その全体が一体に（即ち単一のブロックで）形成され，また左右他方（図示例では右側）の第２模型ブロック２は，該第２模型ブロック２の表層に略沿うように傾斜させた滑り面Ｓを上面に有するベースブロック２Ｄと，そのベースブロック２Ｄの滑り面Ｓ上に上下及び左右の何れにもスライド可能に重合，載置された土塊ブロック２Ｕとより分割構成される。
【００１２】
前記各ブロック１，２（２Ｕ，２Ｄ）は，車両による運搬に適した軽量且つ硬質の合成樹脂，例えばスチロール樹脂等より形成され，その各々の表面は，ＦＲＰ等で一体的に被覆保護されている。また各ブロック１，２（２Ｕ，２Ｄ）の適所，例えば内部や底部等には，必要に応じて金属製の補強枠（図示せず）が一体的に結合される。
【００１３】
また図示例では，第１，第２模型ブロック１，２の底部を両模型ブロック１，２の並列状態で嵌合，載置させる浅い支持凹部３ａを有するベース板３上に両模型ブロック１，２が嵌合，支持される。従って，そのベース板３による支持状態では，第１模型ブロック１と第２模型ブロック２（特にベースブロック２Ｄ）とをベース板３上（支持凹部３ａ内）に相対移動不能に並列固定しておくことができる。尚，前記ベース板３の底面には，必要に応じて複数のキャスタを相互に間隔をおいて設けることが可能であり（図示例では省略），その場合には，模型装置Ｍは人力で走行駆動可能となり，またそれを車両に積み込み，積み卸しする際に便利である。
【００１４】
また第１及び第２模型ブロック１，２には，その上面において，地表の表示が適宜の着色手段や小模型を用いて施され，例えば図示例では，各ブロック１，２の下半分に住宅が点在する丘陵地の表示が，上半分に山肌の表示がなされる。
【００１５】
また第１及び第２模型ブロック１，２には，その各々の左右外側面及び左右分割面Ｓ′（左右内側面）において，その上下に相異なる地層Ｌｕ，Ｌｄの表示が地肌の着色を変える等して施され，更にその上下の地層Ｌｕ，Ｌｄの間に地下水層Ｌｗの表示（図示例では水色に着色）が施される。また特に第２模型ブロック２の前記地下水層Ｌｗには，その上下中間部を縦通するようにして前記滑り面Ｓが現れている。
【００１６】
さらに第１及び第２模型ブロック１，２には，その両模型ブロック１，２の上面及び左右分割面Ｓ′において種々の地滑り対策手段ｔ１〜ｔ５が表示される。この地滑り対策手段として，図示例では，前記滑り面Ｓよりも深く比較的大径の基礎杭を地中に鉛直に打ち込むようにした深礎工ｔ１と，前記滑り面Ｓよりも深く比較的小径のアンカ杭を地中に斜めに打ち込むようにしたアンカー工ｔ２と，排水パイプを地下水層Ｌｗまで届くように略水平に地中に打ち込みようにした横ボーリング工ｔ３と，地下水層Ｌｗの水を一時的に集める井戸を地中に埋め込む集水井ｔ４と，地下水層Ｌｗ下に埋設されてその水を排出するための排水トンネルｔ５とが含まれる。
【００１７】
そして，それら深礎工ｔ１，アンカー工ｔ２，横ボーリング工ｔ３，集水井ｔ４及び排水トンネルｔ５は，第１及び第２模型ブロック１，２の内側面，即ち模型本体Ａの左右分割面Ｓ′で断面表示される。
【００１８】
また土塊ブロック２Ｕを摺動可能に貫通してベースブロック２Ｄに抜差可能に係合し得る少なくとも１個の係合ピンＰが，地滑り対策手段ｔ１〜ｔ５のうちの深礎工ｔ１又はアンカー工ｔ２の少なくとも１つ（図示例ではアンカー工ｔ２）に似せて形成される。この係合ピンＰを土塊ブロック２Ｕを通してベースブロック２Ｄに係合させることにより，土塊ブロック２Ｕのベースブロック２Ｄ上（即ち滑り面Ｓ上）の左右及び上下のスライドを随時規制して，土塊ブロック２Ｕをベースブロック２Ｄ上に一体化することができ，また同ピンＰをベースブロック２Ｄより引き抜くことにより土塊ブロック２Ｕの前記スライドが可能となる。
【００１９】
次に前記実施例の作用を説明する。
【００２０】
前記実施例の模型装置Ｍを使用する場合は，先ず，これを自動車等の車両に積み込んで展示場所まで運搬し，そこに定置する。この定置に際しては，模型本体Ａの第１及び第２模型ブロック１，２を左右並列状態でベース板３上に嵌合，支持するようにする。
【００２１】
このような初期状態では，アンカー工ｔ２に似せた１個の係合ピンＰが土塊ブロック２Ｕを通してベースブロック２Ｄに係合しており，このため，土塊ブロック２Ｕのベースブロック２Ｄ上（即ち滑り面Ｓ上）の左右及び上下のスライドが規制され，土塊ブロック２Ｕはベースブロック２Ｄ上に実質的に一体となって載置されている。尚，この状態において各模型ブロック１，２の上面には種々の地滑り対策手段ｔ１〜ｔ５が表示されていることから，地滑り対策手段ｔ１〜ｔ５の地上構造を見る者に容易に認識させることができる。
【００２２】
さて，この状態より，地滑りの様子を見せるためには，前記係合ピンＰの，土塊ブロック２Ｄの上面に露出した上端を摘まみ，同ピンＰをベースブロック２Ｄより引き抜くようにして，土塊ブロック２Ｕをベースブロック２Ｄより離脱させる。これにより，その土塊ブロック２Ｕをベースブロック２Ｄに対し滑り面Ｓにおいて自重又は人力で下方に簡単にスライドさせることができ，この土塊ブロック２Ｄ全体の下方への滑落状況を見ることによって，地滑りの様子や災害の怖さを見る者に効果的に認識させることができる。
【００２３】
しかも上記係合ピンＰは，地滑り対策手段の一部（図示例ではアンカー工ｔ２）に似せて形成されているため，該係合ピンＰの離脱で土塊ブロック２Ｕがスライド可能になる事実により，地滑り対策手段としてのアンカー工２ｔの有効性を見る者に強く印象付けることができる。また土塊ブロック２Ｕに対するストッパである上記係合ピンＰが，地滑り対策手段（アンカー工２ｔ）の表示手段を兼ねることから，それだけ構造簡素化，ひいてはコスト節減が図られる。
【００２４】
その上，前記模型装置Ｍは自動車等の車両により運搬可能な比較的小型の構造体であるから，どこにでも手軽に持ち運ぶことができる。また滑落後の土塊ブロック２Ｕを元のセット位置に戻して上記係合ピンＰをベースブロック２Ｄに再係合させることで，模型装置Ｍを初期状態に簡単に修復できるから，模型装置Ｍを繰り返し使用でき，コスト節減が図られる。
【００２５】
また上記のように係合ピンＰをベースブロック２Ｄからの引き抜いたときに，作業者が手で土塊ブロック２Ｕをベースブロック２Ｄの滑り面Ｓ上で外側方（即ち第１模型ブロック１より離れる方向）にスライドさせるようにすれば，模型本体Ａの左右分割面Ｓ′（従って該分割面Ｓ′における地滑り対策手段ｔ１〜ｔ５の断面表示）を広く露出させることができるから，左右の模型ブロック１，２をベース板３上に並べたままの状態でも，種々の地滑り対策手段ｔ１〜ｔ５の地中構造を見る者に判り易く表示することができる。
【００２６】
尚，前記模型装置Ｍの定置に際し，模型本体Ａの第１及び第２模型ブロック１，２を互いに分離した状態におけば，前述のように土塊ブロック２Ｕを滑り面Ｓ上で横方向にスライドさせなくても，各模型ブロック１，２の左右分割面Ｓ′を外部に露出させることができる。従って，その分割面Ｓ′に存する種々の地滑り対策手段ｔ１〜ｔ５の断面表示により，地滑り対策手段ｔ１〜ｔ５の地中構造を見る者に判り易く認識させることができる。
【００２７】
以上，本発明の実施例について説明したが，本発明はその実施例に限定されることなく，本発明の範囲内で種々の実施例が可能である。例えば，前記実施例では，並列する第１，第２模型ブロック１，２の底部をベース板３上に嵌合，支持するようにしたものを示したが，本発明では，このようなベース板３を省略して第１，第２模型ブロック１，２を設置面に直に並べるようにしてもよい。
【００２８】
また前記実施例では，各模型ブロック１，２の上面及び左右分割面Ｓ′に種々の地滑り対策手段ｔ１〜ｔ５を表示したが，本発明では，各模型ブロック１，２の外側面にも地滑り対策手段ｔ１〜ｔ５を表示するようにしてもよい。
【００２９】
【発明の効果】
以上のように各請求項の発明によれば，左右一対の第１，第２模型ブロックには，少なくともその両模型ブロックの上面及び左右分割面において種々の地滑り対策手段が表示されるので，地滑り対策手段の地上構造を判り易く表示できることは勿論のこと，両模型ブロックを分離した状態では地滑り対策手段の地中構造をも判り易く表示できる。また特に係合ピンをベースブロックより引き抜いて土塊ブロックをベースブロックより離脱させると，その土塊ブロックをベースブロックに対し上記滑り面において自重又は人力で簡単に下方にスライドさせることができるから，このような土塊ブロック全体の下方スライドによって，地滑りの様子や災害の怖さを見る者に効果的に認識させることができる。しかも上記係合ピンは，地滑り対策手段のうちの深礎工又はアンカー工の少なくとも１つに似せて形成されているため，該係合ピンの離脱で土塊ブロックがスライド可能になる事実により，地滑り対策手段としての深礎工又はアンカー工の有効性を見る者に強く印象付けることができる。また土塊ブロックに対するストッパである上記係合ピンが，地滑り対策手段（深礎工又はアンカー工）の表示手段を兼ねることから，それだけ構造簡素化が図られ，コスト節減に寄与することができる。また本発明の模型装置は車両により運搬可能な比較的小型の構造体であるから，どこにでも手軽に持ち運ぶことができ，また下方スライド後の土塊ブロックを元の位置に戻して上記係合ピンをベースブロックに再係合させることで，模型装置を初期状態に簡単に修復できるから，模型装置を繰り返し使用でき，コスト節減に寄与することができる。
【００３０】
また特に請求項２の発明によれば，左右の模型ブロックの並列状態において，係合ピンをベースブロックからの引き抜いて土塊ブロックをベースブロックの滑り面上で外側方（即ち第１模型ブロックより離れる方向）にスライドさせれば，模型本体の左右分割面（従って該分割面における地滑り対策手段の断面表示）を広く露出させて外部から見易くすることができるから，左右の模型ブロックを並べたままの状態でも，種々の地滑り対策手段の地中構造を見る者に判り易く表示することができる。
【図面の簡単な説明】
【図１】本発明の一実施例に係る地滑り対策展示用模型装置を示す全体斜視図
【図２】第１模型ブロックの単体斜視図
【図３】第１模型ブロックの単体側面図（図２の３矢視図）
【図４】第２模型ブロックの単体側面図
【図５】土塊ブロックを下方へスライドさせた状態を示す図４対応図
【図６】土塊ブロックを外側方へスライドさせた状態を示す図４対応図
【符号の説明】
Ａ・・・・・模型本体
Ｍ・・・・・地滑り対策展示用模型装置
Ｐ・・・・・係合ピン
Ｓ・・・・・滑り面
Ｓ′・・・・左右分割面
ｔ１・・・・深礎工（地滑り対策手段）
ｔ２・・・・アンカー工（地滑り対策手段）
ｔ３・・・・横ボーリング工（地滑り対策手段）
ｔ４・・・・集水井（地滑り対策手段）
ｔ５・・・・排水トンネル（地滑り対策手段）
１・・・・・第１模型ブロック
２・・・・・第２模型ブロック
２Ｄ・・・・ベースブロック
２Ｕ・・・・土塊ブロック
【図１】
2004163677.tif 000003
【図２】
2004163677.tif 000004
【図３】
2004163677.tif 000005
【図４】
2004163677.tif 000006
【図５】
2004163677.tif 000007
【図６】
2004163677.tif 000008